(57)【要約】【課題】光源自体の光源特性の少なくとも１つを充分に高い状態で駆動させることが可能な光源部品、およびこれを備える表示装置を提供する。【解決手段】本実施形態に係る光源部品Ｘ１は、光源１０と、光源１０から入射する光を一方主面から出射するように導く導光板３０と、導光板３０を臨む貫通孔４０ａを有し、光源１０で発生する熱を外部に放熱するための放熱部材４０と、放熱部材４０の貫通孔４０ａに少なくとも一部が嵌合し、光源１０を放熱部材４０に対して着脱自在に取着するための取着手段５０と、を備えている。【選択図】図１
2008084713.tif 000002
【特許請求の範囲】
【請求項１】
１または複数の光源と、
前記光源から入射する光を一方主面から出射するように導く導光板と、
前記導光板を臨む貫通孔を有し、前記光源で発生する熱を外部に放熱するための放熱部材と、
前記放熱部材の前記貫通孔に少なくとも一部が嵌合し、前記光源を前記放熱部材に対して着脱自在に取着するための取着手段と、を備えることを特徴とする、光源部品。
【請求項２】
前記導光板は、前記放熱部材の前記貫通孔と連通し、前記光源を収容するための収容部を有していることを特徴とする、請求項１に記載の光源部品。
【請求項３】
前記収容部は、前記複数の光源を個別収容するように形成されていることを特徴とする、請求項２に記載の光源部品。
【請求項４】
前記収容部は、前記複数の光源のうち少なくとも２以上の光源を一括収容するように形成されていることを特徴とする、請求項２に記載の光源部品。
【請求項５】
前記複数の光源を載置するための載置部材を更に備えていることを特徴とする、請求項１から４のいずれか一つに記載の光源部品。
【請求項６】
前記載置部材は、前記導光板に当接していることを特徴とする、請求項５に記載の光源部品。
【請求項７】
前記光源は、発光ダイオードである、請求項１から６のいずれか一つに記載の光源部品。
【請求項８】
請求項１から７のいずれか一つに記載の光源部品と、前記光源部品の前記導光板の一方主面に対向配置される表示パネルと、を備えることを特徴とする、表示装置。
【発明の詳細な説明】
【技術分野】
【０００１】
本発明は、光源が着脱自在である光源部品およびこれを備えた表示装置に関するものである。
【背景技術】
【０００２】
現在、液晶表示装置は、従来のブラウン管表示装置と比較して薄く、電力消費が少ないことから、一般の機器に広く用いられているが、このような液晶表示装置が備えている液晶表示パネルは自ら発光をしないため、液晶表示パネルに対して光を入射するための光源が必要である。そのため、液晶表示装置には、バックライトと呼ばれる光源部品が備えられている。現在、バックライトの光源としては、一般的に冷陰極放電管（以下、「ＣＣＦＬ」とする）が用いられている。しかし、ＣＣＦＬには水銀が用いられており、環境面を考慮して代替光源への転換が求められている。そこで、ＣＣＦＬに代えて、発光ダイオード（以下、「ＬＥＤ」とする）を光源として備えたバックライト（以下、「ＬＥＤバックライト」とする）が開発され、例えば特許文献１に公開されている。
【特許文献１】特開２００５−０３８７７１号公報
【発明の開示】
【発明が解決しようとする課題】
【０００３】
しかしながら、特許文献１のＬＥＤバックライトは、ＬＥＤの光源特性に起因して新たな問題が生じている。以下に、この新たな問題について、日亜化学製ＬＥＤ（ＮＳＣＷ４５５）を例に挙げて説明する。ＮＳＣＷ４５５は、常温（２５℃）環境下で駆動させたときの推定寿命が約１２０００時間であるのに対し、５０℃の環境下で駆動させたときの推定寿命が約５５００時間となる。つまり、ＮＳＣＷ４５５は、高温度下で駆動し続けると、ＬＥＤチップ自体の劣化や、ＬＥＤチップを封止する封止樹脂の劣化が生じるため、寿命が短くなってしまう。したがって、ＮＳＣＷ４５５を備えたＬＥＤバックライトの駆動時間も、ＮＳＣＷ４５５の寿命の短縮に伴って短くなってしまうのである。
【０００４】
また、高温度下でバックライトを駆動することによりバックライトの備える光源自体の光源特性が低下することは、ＮＳＣＷ４５５を例に説明を行ったＬＥＤに限られたことではなく、他の光源においても生じている。例えば、高温度下でハロゲンランプを駆動すると、ハロゲンランプの発光を担うフィラメントに使用されているタングステンの蒸発量が増大し、ハロゲンランプの寿命が短くなる。また、高温度下でＣＣＦＬを駆動すると、ＣＣＦＬの内部の水銀の蒸気圧が過度に高くなり、ＣＣＦＬの発光効率が低下する。
【０００５】
本発明は、このような事情のもとで考え出されたものであって、光源自体の光源特性の少なくとも一つを充分に高い状態で駆動させることが可能な光源部品、およびこれを備える表示装置を提供すること、を目的とする。
【課題を解決するための手段】
【０００６】
本発明に係る光源部品は、１または複数の光源と、光源から入射する光を一方主面から出射するように導く導光板と、導光板を臨む貫通孔を有し、光源で発生する熱を外部に放熱するための放熱部材と、放熱部材の貫通孔に少なくとも一部が嵌合し、光源を放熱部材に対して着脱自在に取着するための取着手段と、を備えることを特徴としている。
【０００７】
本光源部品において導光板は、放熱部材の貫通孔と連通し、光源を収容するための収容部を有していることが好ましい。
【０００８】
本光源部品において収容部は、複数の光源を個別収容、または一括収容するように形成されていることが好ましい。
【０００９】
本光源部品は、複数の光源を載置するための載置部材を更に備えていることが好ましい。
【００１０】
本光源部品において載置部材は、導光板に当接していることが好ましい。
【００１１】
本光源部品において光源は、発光ダイオードであることが好ましい。
【００１２】
本発明に係る表示装置は、上述の本発明に係る光源部品と、光源部品の導光板の一方主面に対向配置される表示パネルと、を備えることを特徴とする。
【発明の効果】
【００１３】
本発明に係る光源部品は、導光板を臨む貫通孔を有し、光源で発生する熱を外部に放熱するための放熱部材と、放熱部材の貫通孔に少なくとも一部が嵌合するように構成される取着手段と、を備えているので、放熱部材と取着手段との接触面積を充分に確保することができる。そのため、本光源部品では、光源で発生する熱が取着手段を介して放熱部材に効率よく伝導され、光源で発生する熱により該光源が温度上昇してしまうのを抑制することができる。したがって、本光源部品では、光源の放熱性を高めることにより、光源が高温になることにより低下する光源特性の少なくとも一つを充分に高い状態で駆動させることができるのである。なお、光源特性としては、光源の寿命に関する寿命特性や、発光効率のような光源の発光に関する発光特性などが挙げられる。
【００１４】
加えて、本光源部品の取着手段は、光源を放熱部材に対して着脱自在に取着できるように構成されている。そのため、本光源部品では、取着手段を放熱部材から取り外すことにより、所望の発光量を得ることができなくなった光源を新しい光源に交換することが可能となる。したがって、本光源部品では、光源を適時交換することにより、光源単独の寿命を超える駆動時間を確保することができるのである。
【００１５】
本光源部品において、導光板が放熱部材の貫通孔と連通し、光源を収容するための収容部を有している場合、光源の発する光をより効果的に導光板の内部に取り込むことができる。つまり、本構成の光源部品では、光源の出射する光に対する導光板に対して入射する光の割合を高めることができる。したがって、本構成の光源部品は、光源における発光量を変えることなく導光板の一方主面から出射される光の光量を増大させるうえで好適である。
【００１６】
本光源部品において、収容部が複数の光源を個別収容するように形成されている場合、各光源が発した光をより効果的に導光板の内部に取り込むことができる。したがって、本構成の光源部品は、光源における発光量を変えることなく導光板の一方主面から出射される光の光量を増大させるうえでより好適である。
【００１７】
本光源部品において、収容部が複数の光源を一括収容するように形成されている場合、収容部内で光源の位置を任意に設定することができる。したがって、本構成の光源部品では、導光板の収容部の形状を変更することなく、例えば収容部に収容されている各光源間の距離を小さくしてより多くの光源を収容部に収容させるなどの光学設計の変更を行うことができるのである。
【００１８】
本光源部品において、複数の光源を載置するための載置部材を更に備えている場合、載置部材に載置された複数の光源を一括して取り外すことにより、複数の光源を一括して交換することができる。したがって、本構成の光源部品は、複数の光源を交換するときの作業効率を高めるうえで好適である。
【００１９】
本光源部品において、載置部材が導光板に当接している場合、導光板に対する載置部材、ひいては光源の位置関係を適切且つ容易に決定することができる。つまり、本構成の光源部品では、例えば載置部材ごと光源の交換を行なったとしても、新しい光源が載置された載置部材を導光板の所定位置に当接させるだけで、導光板に対する載置部材、ひいては光源の位置決めを適切に行なうことができる。したがって、本構成の光源部品では、光源から入力する光を導光板の一方主面から略均一に出射するために、導光板と光源との位置関係を高精度に決定する必要がある場合においても、該位置関係を容易に決定することができるのである。
【００２０】
本光源部品において、光源が発光ダイオードである場合、発光ダイオードの温度が上昇することを抑制することができるので、発光ダイオードを高温度下で駆動し続けることに起因する発光ダイオードの短寿命化を抑制するうえで好適である。
【００２１】
本発明に係る表示装置は、本発明に係る光源部品を備えているため、上述した本発明に係る光源部品が有する効果を享受することができる。すなわち、本表示装置では、光源の放熱性を高めることにより、光源が高温になることにより低下する光源特性の少なくとも一つを充分に高い状態で駆動させることができるのである。また、本表示装置では、光源を適時交換することにより、光源単独の寿命を超える駆動時間を確保することができるのである。
【発明を実施するための最良の形態】
【００２２】
図１は、本発明の第１の実施形態に係る光源部品Ｘ１の概略構成を示す断面図であり、（ａ）はその全体図、（ｂ）はその要部拡大図である。
【００２３】
光源部品Ｘ１は、光源１０、載置部材２０、導光板３０、放熱部材４０、取着手段５０を備えるものである。
【００２４】
光源１０は、本実施形態において、発光体１１および接続端子１２を有し、外部に光を発するように構成されている。光源１０としては、発光ダイオード（ＬＥＤ）、冷陰極放電管、熱陰極放電管、ハロゲンランプ、キセノンランプ、白熱灯、無機エレクトロルミネッセンス、有機エレクトロルミネッセンスなどが挙げられるが、本実施形態においてはＬＥＤを採用して説明する。発光体１１は、光を発する機能を担うものであり、本実施形態では半導体素子に相当する。接続端子１２は、発光体１１に電力を供給する機能を担うものであり、本実施形態では電極（アノードやカソード）に相当する。接続端子１２の構成材料としては、銅、アルミニウム、ニッケルなどの金属、金属の合金、複数の金属材料を積層して構成するもの、半田などが挙げられる。
【００２５】
載置部材２０は、載置部材本体２１および接続端子２２，２３を有し、複数の光源１０を載置するためのものである。載置部材２０としては、配線基板などが挙げられる。
【００２６】
載置部材本体２１は、主として光源１０を支持する機能を担う部位であり、本実施形態では長板状に形成されている。載置部材本体２１の構成材料としては、接続端子２２，２３の電気的絶縁性を確保すべく、酸化アルミニウム質焼結体や窒化珪素質焼結体などのセラミックス、熱硬化型または紫外線硬化型の樹脂、セラミックスと樹脂との複合材、エポキシ樹脂などの樹脂とガラス布基材との複合材などが挙げられる。
【００２７】
接続端子２２，２３は、発光体１１に電力を供給する機能を担う部位である。接続端子２２は、光源１０の載置面２１ａにおいて露出するように形成され、光源１０の接続端子１２に対して電気的に接続される。接続端子２３は、本実施形態では載置部材本体２１の一端部において露出するように形成され、外部の電力供給源（図示せず）に対して電気的に接続される。接続端子２２と接続端子２３とは、配線導体（図示せず）により電気的導通が図られている。接続端子２２，２３の構成材料としては、銅やアルミニウムなどの金属、ＩＴＯ（Indium Tin Oxide）や酸化亜鉛などの金属酸化物、ポリアニリンやポリエチレンジオキシチオフェンなどの導電性ポリマなどが挙げられる。
【００２８】
導光板３０は、光源１０から入射する光を導光板３０の一方主面から出射するように導くためのものである。本実施形態において導光板３０は、その側面部に複数の光源１０を個別収容するための収容部３０ａを有している。収容部３０ａは、光源１０の収容容易性を充分に確保しつつ、より高い位置決め性を確保すべく、光源１０の外形形状より若干大きい形状とされている。導光板３０の構成材料としては、アクリル樹脂やポリカーボネート樹脂などの透明な樹脂、ガラスなどが挙げられる。
【００２９】
本実施形態において導光板３０には、拡散シート３１、プリズムシート３２、および反射シート３３が設けられている。拡散シート３１は、より均一な面状発光とすべく光を拡散するためのものであり、本実施形態では導光板３０の一方主面（上面）に配設される。プリズムシート３２は、光を略一定方向に集光するためのものであり、本実施形態では導光板３０の一方主面に配設される。反射シート３３は、光を反射するためのものであり、本実施形態では主として導光板３０の他方主面（下面）に配設される。
【００３０】
放熱部材４０は、貫通孔４０ａを有し、光源１０で発生する熱を外部（例えば外部空間）に放熱するためのものである。本実施形態において放熱部材４０は、断面Ｌ字状に形成されており、導光板３０の他方主面および収容部３０ａが位置する側の側面に対向するように配置されている。貫通孔４０ａは、導光板３０の収容部３０ａを臨むように形成され、収容部３０ａに連通している。また、貫通孔４０ａは、光源１０および載置部材２０が挿通可能に形成されている。放熱部材４０を構成する材料としては、銅やアルミニウムなどの金属材料、熱硬化型または紫外線硬化型の樹脂材料に熱伝導性の高い材料を混合させたものなどが挙げられる。ここで熱伝導性の高い材料とは、導光板３０を構成する材料よりも高い熱伝導率を有するものであって、金属材料やカーボンナノチューブなどが挙げられる。
【００３１】
図２は、光源部品Ｘ１の取着手段５０の着脱構造を示す概略図であり、（ａ）はその斜視図、（ｂ）はその分解断面図である。なお、図２（ａ）は、見やすさの観点から拡散シート３１、プリズムシート３２、および反射シート３３を省略している。
【００３２】
取着手段５０は、光源１０が載置されている載置部材２０を放熱部材４０に対して着脱自在に取着するためのものであり、嵌合部材５１、固定部材５２、および放熱部材４０に設けられたネジ孔４０ｂを含んで構成される。
【００３３】
嵌合部材５１は、載置部材２０を搭載するための搭載面５１ａと、放熱部材４０の貫通孔４０ａに嵌合する嵌合面５１ｂと、放熱部材４０のネジ孔４０ｂに連通する連通孔５１ｃとを有しており、搭載面５１ａに搭載される載置部材２０を放熱部材４０に固定するのに寄与するものである。嵌合部材５１は、放熱部材４０の貫通孔４０ａに少なくとも一部（本実施形態では外周全体）が嵌合するように構成されている。搭載面５１ａには、接合部材５３を介して載置部材本体２１の載置面２１ａとは反対の面２１ｂが搭載（接合）されている。接合部材５３としては、粘着テープ、接着剤、低融点金属材料などが挙げられるが、光源１０から発生した熱を嵌合部材５１に対して効率的に伝熱させる観点から、熱伝導性粘着テープや熱伝導性接着剤などの熱伝導性の高いものが好ましい。嵌合面５１ｂは、放熱部材４０の貫通孔４０ａを規定する面に当接する面であり、放熱部材４０と嵌合部材５１との間の伝熱面積を高めるのに寄与する部位である。連通孔５１ｃは、後述の固定部材５２のネジ部５２ａを放熱部材４０のネジ孔４０ｂまで到達させるための部位である。なお、嵌合部材５１を構成する材料としては、放熱部材４０を構成する材料と同様のものが挙げられる。
【００３４】
固定部材５２は、嵌合部材５１を放熱部材４０に対して着脱自在な状態で固定するためのものである。本実施形態における固定部材５２は、放熱部材のネジ孔４０ｂに螺合可能なネジ部５２ａと、ネジ部５２ａをネジ孔４０ｂに螺合した状態で一部が嵌合部材５１に当接するネジ頭５２ｂとを有しており、例えばネジやボルトなどが挙げられる。なお、固定部材５２の構成材料は、放熱部材４０のネジ穴４０ｂに対してネジ部５２ａが充分な強度で螺合できるものであればよいが、放熱性をより高める観点から放熱部材４０を構成する材料と同様のものが好ましい。
【００３５】
本実施形態に係る光源部品Ｘ１は、導光板３０を臨む貫通孔４０ａを有し、光源１０で発生する熱を外部に放熱するための放熱部材４０と、放熱部材４０の貫通孔４０ａに嵌合面５１ｂが嵌合するように構成される嵌合部材５１と、を備えているので、放熱部材４０と嵌合部材５１との接触面積を充分に確保することができる。そのため、光源部品Ｘ１では、光源１０で発生する熱が嵌合部材５１を介して放熱部材４０に効率よく伝導され、光源１０で発生する熱により光源１０が温度上昇してしまうのを抑制することができる。したがって、光源部品Ｘ１では、光源１０の放熱性を高めることにより、光源１０が高温になることにより低下する光源特性の少なくとも一つを充分に高い状態で駆動させることができるのである。なお、光源特性としては、光源１０の寿命に関する寿命特性や、発光効率のような光源１０の発光に関する発光特性などが挙げられる。
【００３６】
加えて、光源部品Ｘ１の取着手段５０は、光源１０を放熱部材４０に対して着脱自在に取着できるように構成されている。そのため、光源部品Ｘ１では、嵌合部材５１を放熱部材４０から取り外すことにより、所望の発光量を得ることができなくなった光源１０を新しい光源に交換することが可能となる。したがって、光源部品Ｘ１では、光源１０を適時交換することにより、光源１０単独の寿命を超えた駆動時間を確保することができるのである。さらに、光源部品Ｘ１では、光源１０を交換するときに、光源特性の異なる光源と交換し、光源に起因する光源部品Ｘ１の特性を容易に変更することができるのである。
【００３７】
光源部品Ｘ１の導光板３０は、放熱部材４０の貫通孔４０ａと連通し、光源１０を収容するための収容部３０ａを有しているので、光源１０の発する光をより効果的に導光板３０の収容部３０ａの内部に取り込むことができる。つまり、光源部品Ｘ１では、光源１０の出射する光に対する導光板３０に対して入射する光の割合を高めることができるのである。したがって、光源部品Ｘ１は、光源１０における発光量を変えることなく、導光板３０の一方主面から出射される光の光量を増大させるうえで好適である。
【００３８】
光源部品Ｘ１の導光板３０の収容部３０ａは、複数の光源１０を個別収容するように形成されているので、各光源１０が発した光をより効果的に導光板３０内に取り込むことができる。したがって、光源部品Ｘ１は、光源１０における発光量を変えることなく導光板３０の一方主面から出射される光の光量を増大させるうえでより好適である。
【００３９】
光源部品Ｘ１は、複数の光源１０を載置するための載置部材２０を備えているので、載置部材２０の載置面２１ａに載置された複数の光源１０を一括して取り外すことにより、複数の光源１０を一括して交換することができる。したがって、光源装置Ｘ１は、複数の光源１０を交換するときの作業効率を高めるうえで好適である。
【００４０】
光源部品Ｘ１の載置部材２０は、導光板３０に当接しているので、導光板３０に対する載置部材２０、ひいては光源１０の位置関係を適切且つ容易に決定することができる。つまり、光源部品Ｘ１では、例えば載置部材２０ごと光源１０の交換を行なったとしても、新しい光源１０が載置された載置部材２０を導光板３０の所定位置に当接させるだけで、導光板３０に対する載置部材２０、ひいては光源１０の位置決めを適切に行なうことができる。したがって、光源部品Ｘ１では、光源１０から入力する光を導光板３０の一方主面から略均一に出射するために、導光板３０と光源１０との位置関係を高精度に決定する必要がある場合においても、該位置関係を容易に決定することができるのである。
【００４１】
光源部品Ｘ１の光源１０は、ＬＥＤであるので、ＬＥＤの温度が上昇することを抑制することができる。したがって、光源部品Ｘ１は、ＬＥＤを高温度下で駆動し続けることに起因するＬＥＤの短寿命化を抑制するうえで好適である。また、光源部品Ｘ１が備えるＬＥＤの発光体１１を封入する材料が樹脂材料である場合、樹脂材料の劣化に起因してＬＥＤが短寿命化するのを抑制することができる。したがって、光源部品Ｘ１は、ＬＥＤを高温度下で駆動し続けることに起因してＬＥＤの寿命が短くなるのを抑制するうえでより好適である。
【００４２】
なお、光源部品Ｘ１は、導光板３０に光源１０が当接するように構成されているので、光源１０の発光量に対する導光板３０に入射する光の割合を大きくするうえで好適である。
【００４３】
また、導光板３０の収容部３０ａは、導光板３０の厚み方向を貫通するように設けられているので、導光板３０の他方主面（下面）に配置されている放熱部材４０と光源１０とを直近に配置することが可能である。したがって、光源部品Ｘ１は、光源１０の放熱部材４０と対向する部分からの放熱性を高めるうえで好適である。
【００４４】
加えて、嵌合部材５１および固定部材５２は、放熱部材４０から突出部がない状態で貫通孔４０ａに取着されているので、光源部品Ｘ１の外形の小型化を図るうえで好適である。
【００４５】
図３は、本発明の第２の実施形態に係る光源部品Ｘ２の概略構成を表す斜視図である。光源部品Ｘ２は、光源部品Ｘ１の導光板３０に代えて、導光板３０’を採用している点において、光源部品Ｘ１と異なる。光源部品Ｘ２の他の構成については、光源部品Ｘ１に関して上述したのと同様である。
【００４６】
導光板３０’は、光源１０から入射する光を導光板３０’の一方主面から出射するように光を導くためのものである。本実施形態において導光板３０’は、その側面部に複数の光源１０を一括収容するための収容部３０ａ’を有している。導光板３０’の構成材料としては、光源部品Ｘ１の導光板３０と同様のものが挙げられる。なお、導光板３０’には、光源部品Ｘ１の導光板３０と同様、拡散シート３１、プリズムシート３２、および反射シート３３を設けてもよい。
【００４７】
本実施形態に係る光源部品Ｘ２は、導光板３０’の収容部３０ａ’が、複数の光源１０を一括収容するように形成されているので、収容部３０ａ’内で光源１０の位置を任意に設定することができる。したがって、光源部品Ｘ２では、導光板３０’の収容部３０ａ’の形状を変更することなく、例えば収容部３０ａ’に収容されている各光源１０の間の距離を小さくしてより多くの光源を収容部３０ａ’に収容させるなどの光学設計の変更を行うことができるのである。
【００４８】
図４は、本発明に係る光源部品Ｘ１を備える液晶表示装置Ｙの概略構成を表す断面図である。液晶表示装置Ｙは、光源部材Ｘ１、液晶表示パネル６０、および筐体７０を有するものである。なお、本実施形態では光源部品Ｘ１を採用して説明するが、光源部品Ｘ２に置き換えてもよい。
【００４９】
図５は液晶表示パネル６０の概略構成を表す図であり、（ａ）はその斜視図、（ｂ）は断面図である。
【００５０】
液晶表示パネル６０は、液晶層６１、第１基体６２、第２基体６３、および封止部材６４を備えている。また、液晶表示パネル６０には、第１基体６２と第２基体６３との間に液晶層６１を介在させ、液晶層６１を封止部材６４によって封止することにより表示領域Ｄが形成されている。
【００５１】
液晶層６１は、電気的、光学的、力学的、あるいは磁気的な異方性を示し、固体の規則性と液体の流動性を併せ持つ液晶を含んでなる層である。この液晶としては、ネマティック液晶、コレステリック液晶、スメクティック液晶などが挙げられる。
【００５２】
第１基体６２は、液晶層６１を封止するのに寄与するものであり、透明基板６２１および透明電極（図示せず）を含んで構成される。透明基板６２１は、上記透明電極を支持するためのものであり、その構成材料としては、その主面に対して交差する方向に光を適切に透過させるべく、ガラスや透光性プラスチックなどが挙げられる。第１基体６２の透明電極は、液晶層６１の液晶に所定の電圧を印加するための部材であり、その構成材料としては、ＩＴＯ、酸化錫、酸化亜鉛、酸化チタンや、酸化鉛などの透光性を有する導電部材が挙げられる。ここで、透光性とは、光を基準値以上の光量で透過させる性質を意味する。なお、第１基体６２は、光を遮る（光の透過量を所定値以下にする）ための遮光膜、光を反射するための光反射膜、入射する光のうち所定の波長を選択的に吸収し、所定の波長のみを選択的に透過させるためのカラーフィルタ、光反射膜やカラーフィルタなどを配置することにより生じる凹凸を平坦化するための平坦化膜、およびマクロ的にランダムな方向を向く（規則性が小さい）液晶層６１の液晶分子を所定方向に配向させるための配向膜などを備えていてもよい。
【００５３】
第２基体６３は、液晶層６１を封止するのに寄与するものであり、透明基板６３１および透明電極（図示せず）を含んで構成される。透明基板６３１は、上記透明電極を支持するためのものであり、その構成材料としては透明基板６２１を構成する材料と同様のものが挙げられる。第２基体６３の透明電極は、液晶層６１の液晶に所定の電圧を印加するための部材であり、その構成材料としては第１基体６２の透明電極を構成する材料と同様の物が挙げられる。
【００５４】
封止部材６４は、第１基体６２と第２基体６３との間に液晶層６１を封止するのに寄与するとともに、第１基体６２と第２基体６３とを所定間隔で離間した状態で接合するためのものである。封止部材６４としては、エポキシ樹脂接着剤やアクリル樹脂接着剤などが挙げられる。
【００５５】
筐体７０は、液晶表示パネル６０および光源部品Ｘ１を収容するための部材であり、上側筐体７１および下側筐体７２を含んで構成される。筐体７０を構成する材料としては、例えばポリカーボネート樹脂などの樹脂、ステンレススチールやアルミニウムなどの金属が挙げられるが、放熱性の観点から金属が好適である。
【００５６】
本発明に係る液晶表示装置Ｙは、本発明に係る光源部品Ｘ１を備えているため、上述した本発明に係る光源部品Ｘ１が有する効果を享受することができる。すなわち、液晶表示装置Ｙでは、光源１０の放熱性を高めることにより、光源１０が高温になることにより低下する光源特性の少なくとも一つを充分に高い状態で駆動させることができるのである。また、液晶表示装置Ｙでは、光源１０を適時交換することにより、光源１０単独の寿命を超えた駆動時間を確保することができるのである。
【００５７】
さらに、液晶表示装置Ｙは、光源部品Ｘ１を備えているため、光源１０で発生する熱を液晶表示装置Ｙの外部に効率的に伝導させることができる。そのため、液晶表示装置Ｙでは、光源１０で発生する熱が液晶層６１に伝導するのを抑制することができる。したがって、液晶表示装置Ｙでは、光源１０に近い部分の液晶層６１に熱が伝導することにより生じる、液晶層６１の光学特性の部分的な低下などを抑制するうえで好適である。結果、液晶表示装置Ｙは、液晶層の光学特性が低下することに起因する液晶表示パネル６０の表示特性の低下を抑制するうえで好適である。
【００５８】
以上、本発明の具体的な実施形態を示したが、本発明はこれに限定されるものではなく、発明の思想から逸脱しない範囲内で種々の変更が可能である。
【００５９】
光源部品Ｘ１，Ｘ２は、光源１０の発光量に対して導光板３０，３０’に入射する光の割合を大きくすべく、導光板３０，３０’に光源１０が当接するように構成されているが、このような構成には限られず、導光板３０，３０’と光源１０とが離間するように構成してもよい。
【００６０】
光源部品Ｘ１，Ｘ２の載置部材２０は、載置部材２０の両主面に金属配線を設け、これらの金属配線間を金属スルーホールにより接続してもよい。このような構成とすると、載置部材２０の両主面間の熱伝導性を向上させることができるので、温度上昇をより抑制するうえで好適である。
【００６１】
光源部品Ｘ１，Ｘ２の導光板３０，３０’は、厚みが略均一な平板状に構成されているが、このような構成に限るものではなく、例えば光源１０が対向配置される側面から該側面とは反対の側面にかけて連続的に厚さが薄くなるような構成としてもよい。
【００６２】
光源部品Ｘ１，Ｘ２の導光板３０，３０’の側面部に設けられた収容部３０ａ，３０ａ’は、導光板３０，３０’の厚み方向を貫通するように設けられているが、このような構造に限るものではなく、側面のみに開口部を有する凹部であってもよい。
【００６３】
光源部品Ｘ２の導光板３０’は、複数の光源１０を一括収容する収容部３０ａ’が１つ設けられているが、このような構成に限るものではなく、複数の光源１０を一括収容する収容部を複数設けてもよい。
【００６４】
光源部品Ｘ１，Ｘ２の嵌合部材５１は、固定部材５２により放熱部材４０に固定される構造となっているが、放熱部材４０の貫通孔４０ａに嵌合部材５１の嵌合面５１ｂを嵌合させる限りにおいて、このような構造に限るものではなく、例えば嵌合部材５１を筐体７０に固定する構造としてもよい。
【００６５】
光源部品Ｘ１，Ｘ２の嵌合部材５１は、放熱部材４０に対して固定部材５２により固定された構成となっているが、このような構成に限るものではなく、放熱部材４０の貫通孔４０ａに対して嵌合部材５１の嵌合面５１ｂを単に嵌合させただけの構成としてもよい。
【００６６】
液晶表示装置Ｙは、放熱部材４０と筐体７０とが別体として構成されているが、このような構成に限るものではなく、筐体７０と放熱部材４０とを一体として構成してもよい。
【００６７】
液晶表示装置Ｙは、液晶の複屈折性（位相のズレ）などにより楕円偏光状態に変換される直線偏光を、楕円偏光状態から直線偏光に近い状態に変換するための位相差フィルムや、所定の振動方向の光を選択的に透過させるための偏光板などを備えていてもよい。
【００６８】
本実施形態では、液晶表示パネル６０を備える液晶表示装置Ｙを例に説明を行ったが、液晶表示パネル６０に代えて、他の自発光しない表示パネルなどを採用した表示装置においても本発明に係る光源部品が有する効果を液晶表示装置Ｙと同様に享受することができる。自発光しない表示パネルとしては、電子ペーパなどの反射光を利用するものでフロント側に光源を配置するものや透光性を有する看板などが挙げられる。
【図面の簡単な説明】
【００６９】
【図１】本発明に係る光源部品Ｘ１の概略構成を示す断面図であり、（ａ）はその全体図、（ｂ）はその要部拡大図である。
【図２】本発明に係る光源部品Ｘ１の取着手段５０の取着構造を示す要部拡大概略図であり、（ａ）はその斜視図、（ｂ）はその分解断面図である。
【図３】本発明に係る光源部品Ｘ２の取着手段５０の取着構造および導光板３０’の概略構成を示す斜視図である。
【図４】本発明に係る光源部品Ｘ１を備える液晶表示装置Ｙの概略構成を表す断面図である。
【図５】図４に示す液晶表示装置Ｙにおける液晶表示パネル５０の概略構成を表す図であり、（ａ）はその斜視図、（ｂ）は断面図である。
【符号の説明】
【００７０】
Ｘ１，Ｘ２    光源部品
Ｙ    液晶表示装置
１０    光源
１１    発光体
１２    接続端子
２０    載置部材
２１    載置部材本体
２２，２３    接続端子
３０，３０’    導光板
３１    拡散シート
３２    プリズムシート
３３    反射シート
４０    放熱部材
５０    取着手段
５１    嵌合部材
５２    固定部材
５３    接合部材
６０    液晶表示パネル
６１    液晶層
６２    第１基体
６３    第２基体
６４    封止部材
７０    筐体
７１    上側筐体
７２    下側筐体
【図１】
2008084713.tif 000003
【図２】
2008084713.tif 000004
【図３】
2008084713.tif 000005
【図４】
2008084713.tif 000006
【図５】
2008084713.tif 000007